(57)【要約】【課題】  スマートメータに対して瞬時値の送信を頻繁に要求しなくても、電力系統から需要家施設に供給される電力の状態を把握することを可能とする電力管理装置、表示装置及び電力管理方法を提供する。【解決手段】  電力管理装置であって、スマートメータから第１電力値を所定間隔で受信する第１受信部と、電力センサから第２電力値を受信する第２受信部と、第１電力値と第２電力値との差異に基づいて、第２電力値を補正した値である第２電力補正値を算出する制御部と、第２電力補正値を表示する制御を行う表示制御部とを備える。【選択図】  図３
2016138855.tif 000002
【特許請求の範囲】
【請求項１】
電力系統から需要家施設に供給される電力を測定するスマートメータから、前記電力系統から前記需要家施設に供給される電力の値である第１電力値を所定間隔で受信する第１受信部と、
前記スマートメータとは別に設けられた電力センサから、前記電力系統から前記需要家施設に供給される電力の値である第２電力値を受信する第２受信部と、
前記第１電力値と前記第２電力値との差異に基づいて、前記第２電力値を補正した値である第２電力補正値を算出する制御部と、
前記第２電力補正値を表示する制御を行う表示制御部とを備えることを特徴とする電力管理装置。
【請求項２】
前記第２受信部は、前記所定期間よりも短い間隔で周期的に前記第２電力値を受信することを特徴とする請求項１に記載の電力管理装置。
【請求項３】
前記第２受信部は、ｎ（ｎは１以上の整数）回目の前記第１電力値の受信からｎ＋１回目の前記第１電力値の受信までの間において、前記電力センサから前記第２電力値として第２補完電力値を受信し、
前記制御部は、ｎ回目以前に受信する前記第１電力値と前記第２電力値との差異に基づいて、前記第２補完電力値を補正した値である第２補完電力補正値を前記第２電力補正値として算出することを特徴とする請求項１又は請求項２に記載の電力管理装置。
【請求項４】
前記制御部は、ｎ回目以前に受信する前記第１電力値と前記第２電力値との差異を重み付けした値に基づいて、前記第２補完電力補正値を前記第２電力補正値として算出することを特徴とする請求項３に記載の電力管理装置。
【請求項５】
前記電力センサは、前記電力系統に接続される主幹電力線に接続される主幹電力センサであることを特徴とする請求項１乃至請求項４のいずれかに記載の電力管理装置。
【請求項６】
前記電力センサは、前記電力系統に接続される主幹電力線から分岐する複数の分岐電力線のそれぞれに接続される複数の分岐電力センサを含み、
前記制御部は、前記複数の分岐電力センサのそれぞれから受信する前記第２電力値の合計値と前記第１電力値との差異に基づいて、前記複数の分岐電力センサのそれぞれから受信する前記第２電力値を補正することを特徴とする請求項１乃至請求項４のいずれかに記載の電力管理装置。
【請求項７】
前記電力センサは、前記電力系統に接続される主幹電力線に接続される主幹電力センサ、及び、前記電力系統に接続される主幹電力線から分岐する複数の分岐電力線のそれぞれに接続される複数の分岐電力センサを含み、
前記制御部は、前記主幹電力センサから受信する前記第２電力値と前記第１電力値との差異に基づいて、前記複数の分岐電力センサのそれぞれから受信する前記第２電力値を補正することを特徴とする請求項１乃至請求項４のいずれかに記載の電力管理装置。
【請求項８】
電力系統から需要家施設に供給される電力を測定するスマートメータによって測定される第１電力値と前記スマートメータとは別に設けられた電力センサによって測定される第２電力値との差異に基づいて、前記第２電力値を補正した値である第２電力補正値を表示する表示部を備え、
前記第１電力値及び前記第２電力値は、前記電力系統から前記需要家施設に供給される電力の値であることを特徴とする表示装置。
【請求項９】
電力系統から需要家施設に供給される電力を測定するスマートメータから、前記電力系統から前記需要家施設に供給される電力の値である第１電力値を受信するステップと、
前記スマートメータとは別に設けられた電力センサから、前記電力系統から前記需要家施設に供給される電力の値である第２電力値を受信するステップと、
前記第１電力値と前記第２電力値との差異に基づいて、前記第２電力値を補正した値である第２電力補正値を算出するステップと、
前記第２電力補正値を表示するステップとを備えることを特徴とする電力管理方法。
【発明の詳細な説明】
【技術分野】
【０００１】
本発明は、電力系統から需要家施設に供給される電力を示す電力情報を管理する電力管理装置、表示装置及び電力管理方法に関する。
【背景技術】
【０００２】
近年、需要家施設に設けられる機器の電力を管理する電力管理システム（ＥＭＳ：Ｅｎｅｒｇｙ  Ｍａｎａｇｅｍｅｎｔ  Ｓｙｓｔｅｍ）が注目を浴びている。このような電力管理システムでは、機器の電力を管理する電力管理装置が設けられる。
【０００３】
電力管理装置としては、住宅に設けられるＨＥＭＳ（ＨＯＭＥ  Ｅｎｅｒｇｙ  Ｍａｎａｇｅｍｅｎｔ  Ｓｙｓｔｅｍ）、ビルに設けられるＢＥＭＳ（Ｂｕｉｌｄｉｎｇ  Ｅｎｅｒｇｙ  Ｍａｎａｇｅｍｅｎｔ  Ｓｙｓｔｅｍ）、工場に設けられるＦＥＭＳ（Ｆａｃｔｏｒｙ  Ｅｎｅｒｇｙ  Ｍａｎａｇｅｍｅｎｔ  Ｓｙｓｔｅｍ）、店舗にＳＥＭＳ（Ｓｔｏｒｅ  Ｅｎｅｒｇｙ  Ｍａｎａｇｅｍｅｎｔ  Ｓｙｓｔｅｍ）等が挙げられる。
【０００４】
このようなケースにおいて、電力系統から需要家施設に供給される電力を測定するメータとして、通信機能を有するスマートメータの導入が検討されている。スマートメータは、電力系統から需要家施設に供給される電力を所定期間毎に集計した値である積算値を電力管理装置に送信する機能を有する。
【０００５】
ところで、積算値は所定期間を経過しなければ更新されないため、所定期間内において積算値の変動を把握することができない。これに対して、所定期間内において積算値の変動を把握するために、電力系統から需要家施設に供給される電力の瞬時値をスマートメータから受信することによって、所定期間内における積算値を補完する技術が提案されている（例えば、特許文献１）。
【先行技術文献】
【特許文献】
【０００６】
【特許文献１】特開２０１４−１５３３３７号公報
【発明の概要】
【発明が解決しようとする課題】
【０００７】
しかしながら、スマートメータの仕様によっては、瞬時値の送信要求を頻繁に受信すると、スマートメータが瞬時値の送信要求を不正な信号（例えば、ＤＯＳ攻撃）と判断することが想定される。従って、積算値の補完精度を上げるために、スマートメータに対して瞬時値の送信を頻繁に要求することは好ましくない。
【０００８】
そこで、本発明は、上述した課題を解決するためになされたものであり、スマートメータに対して瞬時値の送信を頻繁に要求しなくても、電力系統から需要家施設に供給される電力の状態を把握することを可能とする電力管理装置、表示装置及び電力管理方法を提供することを目的とする。
【課題を解決するための手段】
【０００９】
第１の特徴は、電力管理装置であって、電力系統から需要家施設に供給される電力を測定するスマートメータから、前記電力系統から前記需要家施設に供給される電力の値である第１電力値を所定間隔で受信する第１受信部と、前記スマートメータとは別に設けられた電力センサから、前記電力系統から前記需要家施設に供給される電力の値である第２電力値を受信する第２受信部と、前記第１電力値と前記第２電力値との差異に基づいて、前記第２電力値を補正した値である第２電力補正値を算出する制御部と、前記第２電力補正値を表示する制御を行う表示制御部とを備えることを要旨とする。
【００１０】
第２の特徴は、表示装置であって、電力系統から需要家施設に供給される電力を測定するスマートメータによって測定される第１電力値と前記スマートメータとは別に設けられた電力センサによって測定される第２電力値との差異に基づいて、前記第２電力値を補正した値である第２電力補正値を表示する表示部を備え、前記第１電力値及び前記第２電力値は、前記電力系統から前記需要家施設に供給される電力の値であることを要旨とする。
【００１１】
第３の特徴は、及び電力管理方法であって、電力系統から需要家施設に供給される電力を測定するスマートメータから、前記電力系統から前記需要家施設に供給される電力の値である第１電力値を受信するステップと、前記スマートメータとは別に設けられた電力センサから、前記電力系統から前記需要家施設に供給される電力の値である第２電力値を受信するステップと、前記第１電力値と前記第２電力値との差異に基づいて、前記第２電力値を補正した値である第２電力補正値を算出するステップと、前記第２電力補正値を表示するステップとを備えることを要旨とする。
【発明の効果】
【００１２】
本発明によれば、スマートメータに対して瞬時値の送信を頻繁に要求しなくても、電力系統から需要家施設に供給される電力の状態を把握することを可能とする電力管理装置、表示装置及び電力管理方法を提供することができる。
【図面の簡単な説明】
【００１３】
【図１】図１は、第１実施形態に係る需要家施設１０を示す図である。
【図２】図２は、第1実施形態の適用シーンを説明するための図である。
【図３】図３は、第１実施形態に係るＥＭＳ２００を示す図である。
【図４】図４は、第１実施形態に係る表示装置５００を示す図である。
【図５】図５は、第1実施形態の補正値の算出方法を説明するための図である。
【図６】図６は、第１実施形態に係る電力管理方法を示すシーケンス図である。
【図７】図７は、変更例１に係る適用シーンを説明するための図である。
【図８】図８は、変更例２に係る適用シーンを説明するための図である。
【発明を実施するための形態】
【００１４】
以下において、実施形態に係る電力管理装置について、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［実施形態の概要］
実施形態に係る電力管理装置は、電力系統から需要家施設に供給される電力を測定するスマートメータから、前記電力系統から前記需要家施設に供給される電力の値である第１電力値を所定間隔で受信する第１受信部と、前記スマートメータとは別に設けられた電力センサから、前記電力系統から前記需要家施設に供給される電力の値である第２電力値を受信する第２受信部と、前記第１電力値と前記第２電力値との差異に基づいて、前記第２電力値を補正した値である第２電力補正値を算出する制御部と、前記第２電力補正値を表示する制御を行う表示制御部とを備える。
【００１７】
実施形態では、スマートメータから受信する第１電力値に代えて、スマートメータとは別に設けられた電力センサから受信する第２電力値を用いるため、スマートメータに対して瞬時値の送信を頻繁に要求する必要がない。さらに、第１電力値と第２電力値との差異に基づいて、第２電力値を補正した値である第２電力補正値が算出されるため、第２電力値を用いても、スマートメータによって測定される電力の値である第１電力値に対する乖離が低減される。
【００１８】
このように、実施形態に係る電力管理装置によれば、スマートメータに対して瞬時値の送信を頻繁に要求しなくても、電力系統から需要家施設に供給される電力の状態を把握することができる。
【００１９】
［第１実施形態］
（需要家施設）
以下において、第１実施形態に係る需要家施設について説明する。図１は、第１実施形態に係る需要家施設１０の詳細を示す図である。
【００２０】
図１に示すように、需要家施設１０は、分電盤１１０と、負荷１２０と、ＰＶユニット１３０と、蓄電池ユニット１４０と、燃料電池ユニット１５０と、貯湯ユニット１６０とを有する。需要家施設１０は、これらに加えて、ＥＭＳ２００と、スマートメータ３００とを有する。但し、スマートメータ３００及びＥＭＳ２００は、需要家施設１０の建物内に設けられる必要はないことに留意すべきである。さらには、ＥＭＳ２００と通信可能な表示装置５００が設けられる。
【００２１】
分電盤１１０は、電力系統４００に接続されている。分電盤１１０は、電力線を介して、負荷１２０、ＰＶユニット１３０、蓄電池ユニット１４０及び燃料電池ユニット１５０に接続されている。
【００２２】
第１実施形態において、分電盤１１０は、電力系統４００から需要家施設１０に供給される電力を測定するＣＴセンサ１１０Ａを有する。ＣＴセンサ１１０Ａは、電力系統４００から需要家施設１０に供給される電力を測定するスマートメータ３００とは別に設けられる。ＣＴセンサ１１０Ａは、電力系統４００から需要家施設１０に供給される電力を測定する電力センサの一例である。ＣＴセンサ１１０Ａは、電力系統４００から需要家施設１０に供給される電力の値である第２電力値をＥＭＳ２００に送信する。ここで、第２電力値は、単位時間において需要家施設１０に供給される電力の積算値であってもよく、需要家施設１０に供給される電力の瞬時値であってもよい。
【００２３】
負荷１２０は、電力線を介して供給される電力を消費する装置である。例えば、負荷１２０は、冷蔵庫、照明、エアコン、テレビなどの装置を含む。負荷１２０は、単数の装置であってもよく、複数の装置を含んでもよい。
【００２４】
ＰＶユニット１３０は、ＰＶ１３１と、ＰＣＳ１３２とを有する。ＰＶ１３１は、光（例えば、太陽光）の受光に応じて発電を行う装置である。ＰＶ１３１は、発電されたＤＣ電力を出力する。ＰＶ１３１の発電量は、ＰＶ１３１に照射される太陽光の日射量に応じて変化する。ＰＣＳ１３２は、ＰＶ１３１から出力されたＤＣ電力をＡＣ電力に変換する装置（Ｐｏｗｅｒ  Ｃｏｎｄｉｔｉｏｎｉｎｇ  Ｓｙｓｔｅｍ）である。ＰＣＳ１３２は、電力線を介してＡＣ電力を分電盤１１０に出力する。
【００２５】
ＰＶユニット１３０は、ＰＶ１３１に照射される日射量を測定する日射計を有していてもよい。
【００２６】
ＰＶユニット１３０は、ＭＰＰＴ（Ｍａｘｉｍｕｍ  Ｐｏｗｅｒ  Ｐｏｉｎｔ  Ｔｒａｃｋｉｎｇ）法によって制御される。詳細には、ＰＶユニット１３０は、ＰＶ１３１の動作点（動作点電圧値及び電力値によって定まる点、又は、動作点電圧値と電流値とによって定まる点）を最適化する。
【００２７】
蓄電池ユニット１４０は、蓄電池１４１と、ＰＣＳ１４２とを有する。蓄電池１４１は、電力を蓄積する装置である。ＰＣＳ１４２は、蓄電池１４１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００２８】
燃料電池ユニット１５０は、燃料電池１５１と、ＰＣＳ１５２とを有する。燃料電池１５１は、燃料ガスを利用して電力を生成する装置である。ＰＣＳ１５２は、燃料電池１５１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００２９】
燃料電池ユニット１５０は、負荷追従制御によって動作する。詳細には、燃料電池ユニット１５０は、燃料電池１５１から出力される電力が負荷１２０の消費電力に追従するように燃料電池１５１を制御する。
【００３０】
貯湯ユニット１６０は、電力を熱に変換して、熱を蓄積する。具体的には、貯湯ユニット１６０は、貯湯槽を有しており、燃料電池１５１の運転（発電）によって生じる排熱によって、貯湯槽から供給される水を温める。詳細には、貯湯ユニット１６０は、貯湯槽から供給される水を温めて、温められた湯を貯湯槽に還流する。
【００３１】
ＥＭＳ２００は、電力系統４００から需要家施設１０に供給される電力を示す電力情報を管理する電力管理装置の一例である。
【００３２】
具体的には、ＥＭＳ２００は、負荷１２０、ＰＶユニット１３０、蓄電池ユニット１４０、燃料電池ユニット１５０及び貯湯ユニット１６０に信号線を介して接続されており、負荷１２０、ＰＶユニット１３０、蓄電池ユニット１４０、燃料電池ユニット１５０及び貯湯ユニット１６０を制御する。ＥＭＳ２００は、負荷１２０の動作モードを制御することによって、負荷１２０の消費電力を制御してもよい。ＥＭＳ２００と機器とを接続する信号線は、無線であってもよく、有線であってもよい。
【００３３】
第１実施形態において、ＥＭＳ２００は、ＣＴセンサ１１０Ａ及びスマートメータ３００に信号線を介して接続されており、ＣＴセンサ１１０Ａ及びスマートメータ３００と通信を行う。ＥＭＳ２００とＣＴセンサ１１０Ａとを接続する信号線及びＥＭＳ２００とスマートメータ３００とを接続する信号線は、無線であってもよく、有線であってもよい。
【００３４】
スマートメータ３００は、電力系統４００から需要家施設１０に供給される電力を測定する。例えば、スマートメータ３００は、分電盤１１０よりも電力系統４００側において電力線（後述する主幹電力線）に接続されており、主幹電力線を流れる電力の量を測定する。スマートメータ３００により測定された電力に基づいて需要家に対して課金が行なわれる。
【００３５】
第１実施形態において、スマートメータ３００は、電力系統４００から需要家施設１０に供給される電力の値である第１電力値をＥＭＳ２００に送信する。ここで、第１電力値は、単位時間において需要家施設１０に供給される電力の積算値であってもよく、需要家施設１０に供給される電力の瞬時値であってもよい。
【００３６】
ここで、上述したＣＴセンサ１１０Ａによって測定される電力の値（第２電力値）は、スマートメータ３００によって測定される電力の値（第１電力値）に対して誤差を有する可能性があることに留意すべきである。誤差は、例えば、±２．５％ＦＳ±１ｄｉｇｉｔ（周囲温度２３℃、定格入力、定格周波数、力率＝１）程度である。
【００３７】
表示装置５００は、例えば、各種情報を表示する端末である。表示装置５００は、ＥＭＳ２００と通信を行う機能を有することが好ましい。表示装置５００は、無線接続によってＥＭＳ２００と通信を行ってもよく、有線接続によってＥＭＳ２００と通信を行ってもよい。表示装置５００は、例えば、スマートフォン又はタブレット端末である。或いは、表示装置５００は、専用端末であってもよい。
【００３８】
（適用シーン）
以下において、第1実施形態の適用シーンについて説明する。図２は、第1実施形態の適用シーンを説明するための図である。
【００３９】
図２に示すように、分電盤１１０には、電力系統４００に接続される主幹電力線４１０が接続される。分電盤１１０には、主幹電力線４１０から分岐する複数の分岐電力線４２０が接続される。ここでは、分岐電力線４２０として、分岐電力線４２０１、分岐電力線４２０２、及び分岐電力線４２０３が設けられる。分岐電力線４２０１には、負荷１２０１が接続され、分岐電力線４２０２には、負荷１２０２が接続され、分岐電力線４２０３には、負荷１２０３が接続される。
【００４０】
ここで、上述したＣＴセンサ１１０Ａは、主幹電力線４１０に接続されており、主幹電力線４１０を介して需要家施設１０に供給される電力の値を測定する。
【００４１】
（電力管理装置）
以下において、第１実施形態に係る電力管理装置について説明する。図３は、第１実施形態に係るＥＭＳ２００を示す図である。
【００４２】
図３に示すように、ＥＭＳ２００は、通信部２１０と、制御部２２０と、表示制御部２３０とを有する。
【００４３】
通信部２１０は、通信モジュールによって構成されており、信号線を介して接続された機器と通信を行う。同様に、通信部２１０は、信号線を介して接続されたＣＴセンサ１１０Ａ及びスマートメータ３００と通信を行う。
【００４４】
第１実施形態において、通信部２１０は、電力系統４００から需要家施設１０に供給される電力の値である第１電力値をスマートメータ３００から所定間隔で受信する第１受信部を構成する。通信部２１０は、電力系統４００から需要家施設１０に供給される電力の値である第２電力値をＣＴセンサ１１０Ａから受信する第２受信部を構成する。通信部２１０は、所定間隔よりも短い間隔で周期的に第２電力値を受信することが好ましい。
【００４５】
通信部２１０は、ｎ（ｎは１以上の整数）回目の第１電力値の受信からｎ＋１回目の第１電力値の受信までの間において、ＣＴセンサ１１０Ａから第２電力値として第２補完電力値を受信することが好ましい。
【００４６】
制御部２２０は、ＣＰＵ及びメモリによって構成されており、ＥＭＳ２００を制御する。具体的には、制御部２２０は、スマートメータ３００から受信する第１電力値及びＣＴセンサ１１０Ａから受信する第２電力値を管理する。
【００４７】
第１実施形態において、制御部２２０は、第１電力値と第２電力値との差異に基づいて、第２電力値を補正した値である第２電力補正値を算出する。さらに、制御部２２０は、上述した第２補完電力値を受信する場合には、ｎ回目以前に受信する第１電力値と第２電力値との差異に基づいて、第２補完電力値を補正した値である第２補完電力補正値を算出することが好ましい。このようなケースにおいて、制御部２２０は、ｎ回目以前に受信する第１電力値と第２電力値との差異を重み付けした値に基づいて、第２補完電力補正値を算出することが好ましい。第２補完電力値は、第２電力値の一例であり、第２補完電力補正値は、第２電力補正値の一例であることに留意すべきである。補正値の算出方法の詳細については後述する（図４を参照）。
【００４８】
表示制御部２３０は、第２電力補正値を表示する制御を行う。表示制御部２３０は、第２電力補正値に加えて、第２補完電力補正値を表示する制御を行ってもよい。このような制御は、表示装置５００に情報を表示するための制御であり、表示装置５００に情報を表示するための表示データを生成する制御である。
【００４９】
第１実施形態では、表示装置５００に情報を表示するケースを例示しているが、ＥＭＳ２００がディスプレイを有している場合には、ＥＭＳ２００に設けられるディスプレイに情報（例えば、第２電力補正値、或いは、第２電力補正値及び第２補完電力補正値）が表示されてもよい。
【００５０】
（表示装置）
以下において、第１実施形態に係る表示装置について説明する。図４は、第１実施形態に係る表示装置５００を示す図である。
【００５１】
図４に示すように、表示装置５００は、通信部５１０と、表示部５２０とを有する。表示装置５００は、上述したように、スマートフォン、タブレット端末又は専用端末である。
【００５２】
通信部５１０は、通信モジュールによって構成されており、ＥＭＳ２００と通信を行う。例えば、通信部５１０は、ＥＭＳ２００から表示データを受信する。
【００５３】
表示部５２０は、液晶パネル又は有機ＥＬなどのディスプレイによって構成されており、各種情報を表示する。例えば、表示部５２０は、第２電力補正値を表示する。表示制御部２３０は、第２電力補正値に加えて、第２補完電力補正値を表示してもよい。
【００５４】
（補正値の算出方法）
以下において、第１実施形態に係る補正値の算出方法について説明する。図５は、第１実施形態に係る補正値の算出方法を説明するための図である。図５に示すケースでは、ＥＭＳ２００は、スマートメータ３００から第１電力値を所定間隔（例えば、１分）で受信し、ＣＴセンサ１１０Ａから第２電力値を所定間隔よりも短い間隔（例えば、３秒）で周期的に受信する。第１電力値及び第２電力値は、電力系統４００から需要家施設１０に供給される電力の瞬時値である。
【００５５】
図５に示すように、ＥＭＳ２００は、時刻ｔｎ（１）において、第１電力値（ｎ）を受信するとともに、第２電力値（ｎ（１））を受信する。同様に、ＥＭＳ２００は、時刻ｔｎ＋１（１）において、第１電力値（ｎ＋１）を受信するとともに、第２電力値（ｎ＋１（１））を受信する。さらに、ＥＭＳ２００は、時刻ｔｎ（２）〜時刻ｔｎ（ｍ）において、第２補完電力値（ｎ（２）〜ｎ（ｍ））を受信する。
【００５６】
例えば、ＥＭＳ２００は、時刻ｔｎ（１）において、第１電力値（ｎ）と第２電力値（ｎ（１））との差異に基づいて、第２電力値（ｎ（１））を補正した値である第２電力補正値（ｎ（１））を算出する。同様に、ＥＭＳ２００は、時刻ｔｎ＋１（１）において、第１電力値（ｎ＋１）と第２電力値（ｎ＋１（１））との差異に基づいて、第２電力値（ｎ＋１（１））を補正した値である第２電力補正値（ｎ＋１（１））を算出する。例えば、第２電力補正値（ｎ（１））は、第１電力値（ｎ）と同じであり、第２電力補正値（ｎ＋１（１））は、第１電力値（ｎ＋１）と同じである。
【００５７】
ここで、ＥＭＳ２００は、時刻ｔｎ（２）〜時刻ｔｎ（ｍ）において、第１電力値（ｎ）と第２電力値（ｎ（１））との差異に基づいて、第２補完電力値（ｎ（２）〜ｎ（ｍ））を補正した値である第２補完電力補正値（ｎ（２）〜ｎ（ｍ））を算出することが好ましい。例えば、第２補完電力補正値（ｎ（２）〜ｎ（ｍ））は、第２補完電力値（ｎ（２）〜ｎ（ｍ））に対して係数（＝“第１電力値（ｎ）／第２電力値（ｎ（１））”を乗算することによって得られる値である。
【００５８】
或いは、ＥＭＳ２００は、時刻ｔｎ（１）において、ｎ回目以前に受信する第１電力値と第２電力値との差異に基づいて、第２補完電力値（ｎ（２）〜ｎ（ｍ））を補正してもよい。このようなケースにおいて、第２補完電力値（ｎ（２）〜ｎ（ｍ））に対して乗算される係数は、以下の式によって算出される。
【００５９】
【数１】
2016138855.tif 000003
【００６０】
ここで、ＳＭは、第１電力値であり、ＣＴは、第２電力値であり、αは、忘却係数であり、ｘは、参照すべき“ＳＭ／ＣＴ”の数である。αの値は、α（ｘ）＞α（ｘ−１）＞α（ｘ−２）…＞α（１）の関係を満たすことが好ましい。
【００６１】
（電力管理方法）
以下において、第１実施形態に係る電力管理方法について説明する。図６は、第１実施形態に係る電力管理方法を示すシーケンス図である。
【００６２】
図６に示すように、ステップＳ１０（ステップＳ１０ｎ及びステップＳ１０ｎ＋１）において、ＥＭＳ２００は、スマートメータ３００から第１電力値を受信する。
【００６３】
ステップＳ２０（ステップＳ２０ｎ（１）〜ステップＳ２０ｎ（ｍ）及びステップＳ２０ｎ＋１（１））において、ＥＭＳ２００は、ＣＴセンサ１１０Ａから第２電力値を受信する。ここで、ステップＳ２０ｎ（２）〜ステップＳ２０ｎ（ｍ）で受信する第２電力値は、第２補完電力値の一例である。
【００６４】
ステップＳ２０（ステップＳ３０ｎ（１）〜ステップＳ３０ｎ（ｍ）及びステップＳ３０ｎ＋１（１））において、ＥＭＳ２００は、第２補完電力値を含む第２電力値の補正／表示処理を行う。具体的には、ＥＭＳ２００は、図５で説明した方法によって、第２電力補正値及び第２補完電力補正値を算出する。続いて、ＥＭＳ２００は、第２電力補正値及び第２補完電力補正値を表示する制御を行う。すなわち、ＥＭＳ２００は、第２電力補正値及び第２補完電力補正値を表示するための表示データを表示装置５００に送信する。表示装置５００は、ＥＭＳ２００から受信する表示データに基づいて、第２電力補正値及び第２補完電力補正値を表示する。
【００６５】
（作用及び効果）
第１実施形態では、スマートメータ３００から受信する第１電力値に代えて、スマートメータ３００とは別に設けられたＣＴセンサ１１０Ａから受信する第２電力値を用いるため、スマートメータ３００に対して瞬時値の送信を頻繁に要求する必要がない。さらに、第１電力値と第２電力値との差異に基づいて、第２電力値を補正した値である第２電力補正値が算出されるため、第２電力値を用いても、スマートメータ３００によって測定される電力の値である第１電力値に対する乖離が低減される。
【００６６】
このように、実施形態に係るＥＭＳ２００によれば、スマートメータ３００に対して瞬時値の送信を頻繁に要求しなくても、電力系統から需要家施設に供給される電力の状態を把握することができる。
【００６７】
第１実施形態では、ＥＭＳ２００は、ｎ回目以前に受信する第１電力値と第２電力値との差異に基づいて、第２補完電力値を補正した値である第２補完電力補正値を算出する。従って、需要家施設１０に供給される電力の値に関する情報（以下、電力情報）を表示装置５００が表示するケースにおいて、電力情報の更新を頻繁に行う場合であっても、スマートメータ３００に対して瞬時値の送信を頻繁に要求しなくても、第２補完電力補正値に基づいて電力情報を適切に更新することができる。
【００６８】
［変更例１］
以下において、第１実施形態の変更例１について説明する。以下においては、第１実施形態に対する相違点について主として説明する。図７は、変更例１に係る適用シーンを説明するための図である。
【００６９】
図７に示すように、変更例１においては、主幹電力線４１０に接続されるＣＴセンサ１１０Ａが分電盤１１０に設けられておらず、分岐電力線４２０に接続されたＣＴセンサ１１０Ｂが設けられる。具体的には、分岐電力線４２０１に接続されるＣＴセンサ１１０Ｂ１、分岐電力線４２０２に接続されるＣＴセンサ１１０Ｂ２、及び、分岐電力線４２０３に接続されるＣＴセンサ１１０Ｂ３が設けられる。ＣＴセンサ１１０Ｂは、分岐電力センサの一例である。
【００７０】
このようなケースにおいて、ＥＭＳ２００（制御部２２０）は、複数のＣＴセンサ１１０Ｂのそれぞれから受信する第２電力値の合計値とスマートメータ３００から受信する第１電力値との差異に基づいて、複数のＣＴセンサ１１０Ｂのそれぞれから受信する第２電力値を補正する。具体的な補正方法は、第１実施形態（図５を参照）と同様であり、「ＣＴセンサ１１０Ａから受信する第２電力値」を「複数のＣＴセンサ１１０Ｂのそれぞれから受信する第２電力値の合計値」と読み替えればよい。
【００７１】
ＥＭＳ２００は、複数のＣＴセンサ１１０Ｂのそれぞれから第２補完電力値を受信するとともに、第２補完電力補正値を算出してもよいことは勿論である。
【００７２】
（作用及び効果）
変更例１では、主幹電力線４１０に接続されるＣＴセンサ１１０Ａが設けられていなくても、各分岐電力線４２０に接続された複数のＣＴセンサ１１０ＢによってＣＴセンサ１１０Ａを代替することによって、第１実施形態と同様の効果が得られる。また、各分岐電力線４２０に接続された複数のＣＴセンサ１１０Ｂが設けられるため、各分岐電力線４２０で消費される電力を把握することができる。
【００７３】
［変更例２］
以下において、第１実施形態の変更例２について説明する。以下においては、第１実施形態に対する相違点について主として説明する。図８は、変更例２に係る適用シーンを説明するための図である。
【００７４】
図８に示すように、変更例２においては、主幹電力線４１０に接続されるＣＴセンサ１１０Ａに加えて、分岐電力線４２０に接続されたＣＴセンサ１１０Ｂが設けられる。具体的には、分岐電力線４２０１に接続されるＣＴセンサ１１０Ｂ１、分岐電力線４２０２に接続されるＣＴセンサ１１０Ｂ２、及び、分岐電力線４２０３に接続されるＣＴセンサ１１０Ｂ３が設けられる。ＣＴセンサ１１０Ａは、主幹電力センサの一例である。ＣＴセンサ１１０Ｂは、分岐電力センサの一例である。
【００７５】
このようなケースにおいて、ＥＭＳ２００（制御部２２０）は、ＣＴセンサ１１０Ａから受信する第２電力値とスマートメータ３００から受信する第１電力値との差異に基づいて、複数のＣＴセンサ１１０Ｂのそれぞれから受信する第２電力値を補正する。具体的な補正方法は、第１実施形態（図５を参照）と同様である。
【００７６】
ＥＭＳ２００は、複数のＣＴセンサ１１０Ｂのそれぞれから第２補完電力値を受信するとともに、第２補完電力補正値を算出してもよいことは勿論である。
【００７７】
（作用及び効果）
変更例２では、各分岐電力線４２０１に接続された複数のＣＴセンサ１１０Ｂが設けられるため、各分岐電力線４２０１で消費される電力を把握することができる。また、ＣＴセンサ１１０Ａから受信する第２電力値とスマートメータ３００から受信する第１電力値との差異に基づいて、複数のＣＴセンサ１１０Ｂのそれぞれから受信する第２電力値が補正されるため、全ての分岐電力線４２０にＣＴセンサ１１０Ｂが接続されていなくても、複数のＣＴセンサ１１０Ｂのそれぞれから受信する第２電力値を補正することができる。
【００７８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７９】
表示装置５００は、第１電力値をスマートメータ３００から受信するとともに、第２電力値をＣＴセンサ１１０Ａ（或いは、ＣＴセンサ１１０Ｂ）から受信してもよい。或いは、表示装置５００は、第１電力値及び第２電力値をＥＭＳ２００から受信してもよい。
【００８０】
ＣＴセンサ１１０Ａ、ＣＴセンサ１１０Ｂ、ＥＭＳ２００及びスマートメータ３００などを含む機器間の通信は、例えば、ＥＣＨＯＮＥＴ  Ｌｉｔｅ方式で行われる。
【符号の説明】
【００８１】
１０…需要家施設、１１０…分電盤、１１０Ａ…ＣＴセンサ、１１０Ｂ…ＣＴセンサ、１２０…負荷、１３０…ＰＶユニット、１３１…ＰＶ、１３２…ＰＣＳ、１４０…蓄電池ユニット、１４１…蓄電池、１４２…ＰＣＳ、１５０…燃料電池ユニット、１５１…燃料電池、１５２…ＰＣＳ、１６０…貯湯ユニット、２００…ＥＭＳ、２１０…通信部、２２０…制御部、２３０…表示制御部、３００…スマートメータ、４００…電力系統、４１０…主幹電力線、４２０…分岐電力線、５００…表示装置、５１０…通信部、５２０…表示部
【図１】
2016138855.tif 000004
【図２】
2016138855.tif 000005
【図３】
2016138855.tif 000006
【図４】
2016138855.tif 000007
【図５】
2016138855.tif 000008
【図６】
2016138855.tif 000009
【図７】
2016138855.tif 000010
【図８】
2016138855.tif 000011